(57)【要約】【課題】髪が顔の前面に覆い被さり、危険な状態、または不都合な状態に陥らないようにすることができる眼鏡フレームを提供する。【解決手段】テンプル前端から外側後方に向けて、テンプル外側面との間に隙間を設けながらテンプルの長さより短い突条を伸ばし、該突条の後端とテンプル外側面との間も隙間を有することを特徴とするテンプルを備えた眼鏡フレームにより、該眼鏡フレームを掛ける時はこの隙間に前または横の髪が入り込み、該眼鏡フレームを外す時はこの隙間から該髪が出ていく。【選択図】図１
2017102418.tif 000002
【特許請求の範囲】
【請求項１】
テンプル前端から外側後方に向けて、テンプル外側面との間に隙間を設けながらテンプルの長さより短い突条を伸ばし、該突条の後端とテンプル外側面との間も隙間を有することを特徴とするテンプルを備えた眼鏡フレーム。
【請求項２】
前記テンプル端穴と前記突条端穴が蝶番で、また該テンプル二番穴と該突条二番穴が別部材でそれぞれ回転可能に軸着されていることを特徴とする、請求項１に記載のテンプルを備えた眼鏡フレーム。
【発明の詳細な説明】
【技術分野】
【０００１】      本発明は、髪を保持することができるテンプルを備えた眼鏡フレームに関する。
【背景技術】
【０００２】      従来の眼鏡テンプルは、顔の前面に覆い被さろうとする髪を抑制する機能は備えていない。【０００３】      例えば、特許文献１には、側頭部から顔の方へ髪が移動しないように抑制するために眼鏡テンプルに脱着可能な器具が記載されている。【０００４】      また、特許文献２には、眼鏡テンプルに髪を挟む機能を付加したメガネフレームが開示されている。【０００５】      また、特許文献３には、ヘアピンを眼鏡テンプルの両外側前後方向中央に装着したメガネフレームが開示されている。
【先行技術文献】
【特許文献】
【０００６】
【特許文献１】米国特許５９６９７８８号和文抄録
【特許文献２】特開２０１２−１３３２９９号公報
【特許文献３】中国実用新案２０２４２１６５６号機械翻訳和文抄録
【発明の概要】
【発明が解決しようとする課題】
【０００７】      このように眼鏡テンプルに髪を保持する機能を付加することで、髪が顔の前面に覆い被さり、危険な状態、または不都合な状態に陥らないようにすることができる。【０００８】      しかし、特許文献１に記載の眼鏡テンプルに脱着可能な器具は取り付け、取り外し動作が煩雑である。また、特許文献２に記載の眼鏡テンプルに髪を挟む機能を付加したメガネフレームは眼鏡の掛け外し動作に、髪を挟んだり外したりする動作が加わり煩雑である。特許文献３に記載のヘアピンを眼鏡テンプルの両外側前後方向中央に装着したメガネフレームも同様である。【０００９】      本発明が解決しようとする課題は、眼鏡の掛け外し動作のみで前または横の髪をテンプルの側面に保持することが可能な眼鏡フレームを提供することである。
【課題を解決するための手段】
【００１０】      上記課題を解決するために成された本発明にかかる眼鏡フレームは、側面にテンプルの長さより短い突条を設け、該突条の前端から後端までの間はテンプル外側面から離れていることを特徴とする。【００１１】      ここで、「眼鏡」には、サングラス、近視鏡、老眼鏡、遠近両用眼鏡、安全眼鏡、パソコン用眼鏡、ファッショングラス（伊達眼鏡）、水中眼鏡、レンズを有しない眼鏡フレームのみの物、電子機器もしくは液体、気体またはその他の物を使用して特定の機能を持たせた眼鏡を含む。【００１２】      本発明の眼鏡フレームでは、眼鏡を顔に装着するときに、テンプル外側面と前記突条とで構成される隙間に髪が挿入され、眼鏡の装着を終えたとき、該隙間に髪が保持された状態になる。このため、顔を上下左右に方向転換する、または突風が吹くなどしても髪が顔の前面に覆い被さることはない。また、該隙間に入らなかった髪も、眼鏡装着後に耳に髪を引掛けるのと同様の動作で、手で容易に該隙間に入れることができる。【００１３】      前記突条は、更に、テンプルから独立して別の部材を介して軸着されていてもよい。但し、眼鏡を顔に装着した状態では安定して固定され、該突条がぶらぶら揺れ動いてはいけない。
【発明の効果】
【００１４】      本発明に係る眼鏡フレームによると、眼鏡の掛け外し動作のみで髪をテンプルの外側面に保持することができ、該髪が顔の前面に覆い被さることがない。
【図面の簡単な説明】
【００１５】
【図１】突条を設けた眼鏡フレームの斜視図である。（第１実施例）
【図２】同実施例の平面図
【図３】独立した突条を別の部材を介して軸着した眼鏡フレームの斜視図である。（第２実施例）
【図４】同実施例の平面図（蝶番付近拡大図）
【図５】同実施例の平面図（折り畳み動作途中図）
【図６】同実施例の平面図（折り畳み完了図）
【発明を実施するための形態】
【００１６】      （第１実施例）
本発明に係る眼鏡フレームの第１実施例について図１〜図２を参照しながら説明する。図１は、本実施例の装着状態の斜視図であり、図２は、本実施例のフレームを開いた状態の平面図である。なお、該フレームは左右対称形状のため、以下は片側のみについての説明とする。図２に示すように、本実施例のフレームは平面視において、蝶番４近傍から外側に、続いて後方に向かって内面が略Ｓ字形状で外面が外に膨らむ円弧形状の突条２が伸びている。該突条２の長さはテンプル１より短い。該突条２と該テンプル１との間には髪２０が出入り可能な適度な隙間１１が形成されている。また、該突条２の取り付け態様はテンプル１との一体成形に限定されず、適当な位置で分割し、例えば螺着、鋲着または嵌着などによって取り付けられていてもよい。
【００１７】      （第２実施例）
本発明に係る眼鏡フレームの第２実施例について図３〜図６を参照しながら説明する。図３は、本実施例の装着状態の斜視図であり、図４は蝶番４付近の各部説明平面図、図５〜図６は折り畳み動作説明平面図である。なお、該フレームは左右対称形状のため、以下は片側のみについての説明とする。眼鏡フレーム前側左右の蝶番４に二箇所の軸穴５、６を設け、内側の軸穴５にテンプル１の端穴７、外側の軸穴６に突条２の端穴９を軸着する。更に、テンプル１の二番穴８と突条２の二番穴１０を、上下各１枚のリンクプレート３で挟み込むようにして軸着することにより、テンプル１、突条２、リンクプレート３および蝶番４から成るリンク機構を形成する。該機構により、左右のテンプル１を開いたときには、髪２０を迎え入れるに十分な隙間１１を出現させ、折り畳んだときには、該隙間１１は極小さくなり、本発明の効果を保持しつつ折り畳んだ状態の眼鏡の高さを低く抑えることができる。
【符号の説明】
【００１８】１    テンプル
２    突条
３    リンクプレート
４    蝶番
５    内側の軸穴
６    外側の軸穴
７    テンプルの端穴
８    テンプルの二番穴
９    突条の端穴
１０  突条の二番穴
１１  隙間
２０  髪
【図１】
2017102418.tif 000003
【図２】
2017102418.tif 000004
【図３】
2017102418.tif 000005
【図４】
2017102418.tif 000006
【図５】
2017102418.tif 000007
【図６】
2017102418.tif 000008